(57)【要約】【課題】うつ伏せに寝た時に、使用者が顔面を真下にしても目、鼻、口が枕に圧迫されず、しかも呼吸が容易にできる通気を確保できる枕を提供する。また仰向けや横向きに寝るときも容易に使用できる枕を提供する。【解決手段】本発明は顔面を下に向けて寝る場合において、眼，鼻，口が圧迫することがなく、楽に呼吸できるうつ伏せ寝に適した枕を提供する。この枕は 球状の骨格部分とクッション部分で形成された枕に関するものであり、骨格部の円周の縁に、通常人の顔面の大きさに合わせたクッション材を取り付けた枕である。かつ、呼吸が容易にできるよう、球状の形態を有した部分を下にし、その上部の凹部に骨格空間部を設けたものである。使用時、顔面はクッション材で柔軟に支持され、骨格空間部におさまり、目，鼻，口が圧迫されることがなく、真下に向けた状態でも快適に寝ることができる枕を特徴とする。【選択図】図４
2013220200.tif 000002
【特許請求の範囲】
【請求項１】
底面が球状の枕本体と、前記枕本体の内面の外周部分に設けられた当接部材と、前記当接部材に顔面の周辺部を当接して使用することを特徴とするうつ伏せ用枕。
【請求項２】
枕本体の底部以外の部分に開口部を設けたことを特徴とする請求項１に記載のうつ伏せ用枕。
【請求項３】
開口部は人間の手の指が挿入可能な大きさであることを特徴とする請求項２記載のうつ伏せ用枕。
【発明の詳細な説明】
【技術分野】
【０００１】
本発明は球状形の骨格部分とクッション部分で形成された枕に関するものである。
【背景技術】
【０００２】
従来、うつ伏せ寝用の枕として、特開平２０１２−０１６６００号や特開平１０−１１７９０５号が知られている。これらのうつ伏せ枕は床への設置形状が平面であった。
一般的な枕やドーナツ状、馬蹄形の変形型の枕などがあるが、これらの枕は布、綿、化学繊維などの柔らかな素材で作られているため、鼻や口，眼などが接触しないような空間を設ける事が困難である。かつ、通気を円滑にするための開口部を設けることが難しく、呼吸がしづらい欠点がある。そのため真下にうつぶせ寝で寝る事が難しい。かつ、従来の枕は、うつ伏せにて使用した時、下部に開口部がないため、視界がまったく遮られ、真っ暗になり、使用者に不安感をつのらせる。また、従来の枕は顔面周囲部分と枕は接触しているので、目、鼻、口の付近に痒みや不快な感覚を生じる時があるが、こんな場合、従来の枕の場合は頭部を反り返り持ち上げ、顔面を枕から離し、手で掻かなければならない。この動作は意外とつらく、安眠の妨げになりやすい。
【先行技術文献】
【特許文献】
【０００３】
【特許文献１】特開２０１２−０１６６００号公報
【特許文献２】特開平１０−１１７９０５号公報
【発明の概要】
【発明が解決しようとする課題】
【０００４】
従来のうつ伏せ用の枕や一般の枕は下記のような問題点があった。
（イ）うつ伏せに寝ると、目、鼻、口が塞がりやすく、呼吸ができづらい。
（ロ）呼吸するための空気流動口が殆どなく、空気が滞留し、呼吸がしづらい。
（ハ）顔を少し動かしたくても、枕の底が平な形状で、床面と密着しているため、枕や頭部を動かしにくい。
従来のうつ伏せ枕は、床への接地面が平面であるために、顔や頭の姿勢を睡眠中に容易に変更することができないという欠点があった。このため同じ姿勢で睡眠することになり、同じ姿勢を長時間続けることによる首や肩などが疲労し、快適な睡眠ができない。
本発明は、このような欠点をなくし安眠ができるうつ伏せ枕を提供することにある。
【課題を解決するための手段】
【０００５】
本発明のうつ伏せ枕は、底面が球状の枕本体と、枕本体の内面の外周部分に設けられた当接部材と、この当接部材に顔面の周辺部を当接して使用するものである。
また、本発明のうつ伏せ枕は、枕本体の底部以外の部分に開口部を設け、その開口部から呼吸用の空気を取り入れたものである。また底部には開口部がないので、睡眠中に発生する唾液等を底部に受け止めることができ、寝具を汚すことがない。
また、本発明のうつ伏せ枕は、開口部は人間の手の指が挿入可能な大きさに構成し、痒い部分を手で掻くようにしたものである。
本発明は硬質系の球面状の枕本体とクッション部分の当接部材で形成された枕に関するものであり、前記枕本体円周の縁に、通常人の顔面の大きさに合わせた柔軟なクッション材を取り付けた枕であり、枕本体の球面中央部以外の部分に設けられた開口部と前記、枕本体の内側に設けられた、顔面の周囲を支持する当接部材とを備えたことの一部又は全部を特徴とするうつ伏せ用枕である。
うつぶせ寝枕の底の凹部を球状にし、うつぶせ寝で使用者が容易に呼吸できるよう、球状形態の部分に空間部を設けたものである。
柔軟なクッション材の当接部材は枕本体と目、鼻、口などの呼吸器との間に空間を設けるよう設置されたことを特徴とした枕である。
かかるうつ伏せ用枕をうつ伏せで使用した時、顔面周囲はクッション材で柔軟に支持され、顔面は骨格空間凹部におさまり、目，鼻，口が圧迫されることがなく、使用者は顔面を真下に向けた状態でも快適に使用することができる。かつ、本発明の枕は底面が球面状のため、接触している床面上では、自然な動きや、ちょっとした頭や首の動きに、いたって容易に順応しやすく、好みの姿勢で、そして楽な姿勢で眠りにつくことが出来る。
【発明の効果】
【０００６】
本発明のうつ伏せ枕は、底面が球状の枕本体と、枕本体の内面の外周部分に設けられた当接部材と、この当接部材に顔面の周辺部を当接して使用したので、睡眠中に顔や頭の向きを容易に調節することができ、肩や首のこりが発生することがなく安眠ができる。また、睡眠中の自然な体の動きに対応して円滑に動くことができるので、さらに快適な睡眠が可能である。
また、本発明のうつ伏せ枕は、枕本体の底部以外の部分に開口部を設け、その開口部から呼吸用の空気を取り入れたので、睡眠中の呼吸が容易であるばかりでなく、湿気を取り除くこともでき、快適な睡眠ができる。
また、本発明のうつ伏せ枕は、開口部は人間の手の指が挿入可能な大きさに構成したので、睡眠中に痒い部分を容易に手で掻くようにできる。
【図面の簡単な説明】
【０００７】
【図１】うつ伏せ用枕の実施形態における正面斜視図。
【図２】うつ伏せ用枕の実施。形態における使用状態を示す正面図。
【図３】うつ伏せ用枕の実施形態における使用状態を示す断面図。
【図４】うつ伏せ用枕の実施形態における使用全体図。
【発明を実施するための形態】
【０００８】
本発明を実施するための形態について説明する。図１において、うつぶせ用の枕本体１は人間の顔の形状に一致させ、その底部を球状形に構成している。この枕本体の１の周辺部の内面には、柔らかいクッション材からなる当接部材２が設けられている。この当接部材２は、顔の骨格部分に当接されるように構成されており、あごの部分は接していない。枕本体１の底部以外の部分には空気を取り入れるための開口部３が設けられている。
図２は、本発明を正面から見た図であり、図３は側面から見た状態を示している。図3に示すように、枕本体１の当接部材２に顔を接したとき、当接部材２には額や頬の骨格が接し、目や鼻や口には接することがない。
図４はうつ伏せ用枕を使用している状態を示しており、寝具４に枕本体１の球面状の底部を置き、顔を枕本体１の内面の当接部材２に当接させて睡眠している状態を示している。
このように睡眠している状態では、枕本体１の底部は球状であるため、顔の方向を容易に変えることができ、全方位的に、楽な位置に、容易に枕を動かす事ができる。
【０００９】
かつ、枕本体１に呼吸をしやすくするため、開口部２をもうける。
この枕の底部が球状凹形のため、クッション縁部の顔面の接するところから下に目、鼻、口が収まる空間ができ、顔面を下に向け、うつ伏せに寝た状態でも目、鼻、口などが接触や圧迫されることなく呼吸が容易にできる。かつ、枕をそのまま用いて仰向きでも、横向きでも、快適に寝る事のでき、首や肩等への負担もやわらげる事ができる枕である。うつぶせ用枕と顔面周辺部との間には当接部材３をあてがい、感触を和らげ、枕の本来の役目をする。本発明は前記のような構造を特徴とするものである。
従来のうつ伏せ用の枕や一般の枕は次のような問題点がある。
（イ）顔面を長時間、動かさない状態が続くため、首や顎などが、だるくなったり、痛くなる。かつ、顔と枕との間の通気性が悪いのと、常に密着状態になっているため、蒸れて発汗の原因となる。
（ロ）うつ伏せに寝ると眼の部分に圧迫感があり、その上、視界がほとんど塞がれているため、使用者に不安感をいだかせる。
（ハ）汗やかゆみで顔面に不快感が生じた時、開口部から、指先で掻く事ができない。
（ニ）目の付近に開口部がないため、視界や光明が遮られ、暗闇になり、不安感を感じる。
（ホ）頭部顔面を額や顎の一部分だけで支持しているため、額や顎に負担がかかり、すぐに痛みやだるさを感じる。
前期のような問題点を本発明は、うつ伏せになって使用した場合、目、鼻、口を圧迫する事は勿論、接触もしない。うつぶせ用枕の下部は球状で成型されているため、開口部を十二分にもうける事ができ、通気がよく、楽に呼吸ができる。枕底部と寝床との接点は球状のため、頭や首のちょっとした動きで微妙に動かすことができ、うつぶせ用枕を使用者の好みの位置にすることができる。このちょっとした動きで枕を動かすことが出来ると言うことは、長い就寝時間の際、首や肩などの自然な動きに連動して動くので、首部分に負担が少なく、快適な睡眠ができる。また、開口部は指の大きさより大きく設けてあるので空気の流通が、たっぷりなので、呼吸もしやすく、顔部への湿度の影響は少なく、むれや発汗を防ぐことが出来る。うつ伏せ寝の時、顔面部に痒いところがあった場合、枕から顔を上げなくても、この開口部から使用者は手の指先を入れ、容易に掻くことが可能である。かつ、開口部からは薄明かりで視界が確保されるため、使用者の不安感は軽減する。また、うつ伏せの姿勢で寝ると、どうしても、唾液、よだれが自然と出やすくなり、従来の枕では、寝具やカバーが汚れる欠点がある。しかし、本発明はうつ伏せになって使用した場合、唾液が垂れ落ちる個所が球面状になっておるので、その穴の開いておらない内側の凹部に唾液を受け止める事ができ、寝具やカバーの汚れを防ぐことが可能である。
当接部材は、本発明の実施例では馬蹄形の形状を示したが、連続した円形でもよく、また、部分的に当接部材がとぎれていてもよい。
開口部の個数は４つの例を示したが、この個数に制限されるものではない。
【産業上の利用可能性】
【００１０】
うつ伏せに寝ると、いびきを和らげ、喉の炎症なども防げるので、医療関係者はじめ、枕専門店、寝具店などでの取り扱いが有望である。本発明の球状形のうつぶせ寝枕はうつ伏せに限らず、横向きも仰向き寝の姿勢でも、快適に使用することができるので、より多くの利用者が望める。横向き寝の場合、耳の部分が凹状空間に位置するため、耳への圧迫感がなく、音もよく聞こえる。医療機関でも網膜剥離などの手術後の処置法の一環として、うつ伏せ寝を医師より指示されるが、こういう事態の対応には、特に有効な枕である。また、接骨整体医療やマッサージ治療などで伏臥姿勢での治療には、取り扱い使用も軽便で手軽であり、患者に対しての負担も少なく、医療効率が一段と向上する。
【符号の説明】
【００１１】
１  枕本体
２  当接部材
３  開口部
４  寝具
【図１】
2013220200.tif 000003
【図２】
2013220200.tif 000004
【図３】
2013220200.tif 000005
【図４】
2013220200.tif 000006